(57)【要約】      （修正有）【課題】着用時の快適感を上げることができるワイヤレス指輪型バーコード・リーダーを提供する。【解決手段】非機械式スタートスイッチ１０１１(例えば、容量性近接／タッチスイッチ)をバーコード・リーダー１０のスタートスイッチとして用い、且つ面ファスナー固定バンド１０３をバーコード・リーダー本体の下方に設置する。固定バンドと指の間にはパッド本体１０４が粘着され、バーコード・リーダーのハードシェルとの接触に起因する不快感を回避する。使用者はこのワイヤレス指輪型バーコード・リーダーを指に差し込んだ状態で、親指でスタートスイッチを作動させ、バーコードを走査することができる。【選択図】図１
0003211589.tif 000002
【実用新案登録請求の範囲】
【請求項１】
使用者の指に差し込んで使用されるワイヤレス指輪型バーコード・リーダーであって、
内部が中空形状であり、外部の両側に非機械式スタートスイッチをそれぞれ設け、対向する当該両側にそれぞれ下方に延びるウィング部が形成され、当該ウィング部がそれぞれ貫通穴を形成するアウターケーシングと、
当該アウターケーシングの当該内部に装着され、当該非機械式スタートスイッチと電気的に接続する走査エンジンモジュールと、
可撓性を持つ材料で作られ、一面に第１粘着層が設けられ、もう一の面に対向の粘着層が設けてあり、当該第１粘着層が当該対向の粘着層とお互いに粘着することで固定され、両端部がそれぞれの当該貫通穴を通過するベルクロラップ固定バンドと、
一面に第２粘着層が設けられることで、当該対向の粘着層に粘着するパッド本体と、を含み、
当該ベルクロラップ固定バンドを当該使用者の当該指に固定した後に、当該パッド本体が当該ベルクロラップ固定バンドと当該指の間に位置し、当該使用者は親指で当該非機械式スタートスイッチを作動して当該走査エンジンモジュールを駆動することで、バーコードの走査作業を行うことを特徴とするワイヤレス指輪型バーコード・リーダー。
【請求項２】
当該非機械式スタートスイッチは、容量性近接スイッチであることを特徴とする請求項１に記載のワイヤレス指輪型バーコード・リーダー。
【請求項３】
当該非機械式スタートスイッチは、容量性タッチスイッチであることを特徴とする請求項１に記載のワイヤレス指輪型バーコード・リーダー。
【請求項４】
当該両方のウィング部の間に、着用部が形成されてあり、当該着用部が当該指の弧状に合わせるように形成されることを特徴とする請求項１に記載のワイヤレス指輪型バーコード・リーダー。
【請求項５】
当該パッド本体のもう一つの面に可撓性の材料からなる接触層を設けてあることを特徴とする請求項１に記載のワイヤレス指輪型バーコード・リーダー。
【請求項６】
当該ワイヤレス指輪型バーコード・リーダーは、ワイヤで別の分離ユニットとの接続が無いことを特徴とする請求項１に記載のワイヤレス指輪型バーコード・リーダー。
【考案の詳細な説明】
【技術分野】
【０００１】
本考案は、ワイヤレス指輪型バーコード・リーダーに係わり、特に着用時の快適感を上げることができるワイヤレス指輪型バーコード・リーダーに関する。
【背景技術】
【０００２】
バーコード・リーダーには多くの種類が存在しており、例えば、指輪型またはハンドキャリー型があり、これらの中でも、ワイヤレス指輪型バーコード・リーダーが最も便利なものである。使用者は単にワイヤレス指輪型バーコード・リーダーを指に差し込むだけで、使用者の手でバーコード・リーダーの本体を掴む必要が無い状態で、バーコードの走査作業を行える。従って、使用者にとって利便性がかなり向上する。
【考案の概要】
【考案が解決しようとする課題】
【０００３】
しかしながら、ワイヤレス指輪型バーコード・リーダーは、使用上の快適感の問題点が存在する。一般的なワイヤレス指輪型バーコード・リーダーは、人間工学に準拠するため、使用者がほとんどワイヤレス指輪型バーコード・リーダーを人差し指に着用し、また親指で側面のプッシュボタンを押すことでバーコード・リーダーをスタートする。バーコード・リーダーの光源が常にオンであることによってすぐにバッテリー電源を費やしてしまうことがあるので、このプッシュボタンは、装設されなければならない。また、バーコード・リーダーを着用する一人一人の指サイズに合わせるために、ほとんどベルクロラップの使用で固定される。しかし、あまりにもきつく縛られた場合、指が血行不良による怪我を引き起こす可能性がある。逆に、縛りがあまりにも緩んでいる場合、親指は機械式プッシュボタンを押すと、バーコード・リーダーが押圧力により簡単に移動される又は歪められる可能性がある。また、使用者はバーコード・リーダーを着用する時、バーコード・リーダーのハードシェルが直接使用者の指に圧迫することで、使用者の不快感を引き起こす。更に、一般的なワイヤレス指輪型バーコード・リーダーは、前述のように、機械式プッシュボタンスイッチを使用して操作する。機械式プッシュボタンスイッチは、使用しにくい、即ち、バーコード・リーダーをきつく差し込まなければならない。さもないと、押圧操作を簡単に行えない。
【０００４】
また、指輪型バーコード・リーダーの重さを低減するように、別にリストユニットが設けられてあることを、数多くの先行技術、例えば、米国特許No.7,942,326、8,317,102、及び9,082,030「多重モード指輪型のバーコード・リーダー(Multi-mode ring reader)」、又は8,235,294、8,702,004、及び9,104,931「精度強化のバーコード・リーダー(Accuracy-enhanced reader)」の中に掲示してある。上記の六つの特許は、それぞれ機械式プッシュボタンスイッチを使用してあるため、リストユニット１３０を設けなければならない。その他、米国特許No.5,410,140の「ミラーレスリング搭載の小型光学読取装置 (Mirrorless ring mounted miniature optical reader)」と、5,578,810の「リング搭載の小型光学読取装置 (Ring mounted miniature optical reader)」も、上記の六つ特許と同じように、それぞれ機械式プッシュボタンスイッチを使用してあるので、別の分離ユニット７０を設けなければならない。
【０００５】
また、米国特許No.6,015,090の「手に装着可能、且つ順応性のあるバーコード・リーダー (Hand mountable adaptive barcode reader)」の中に、リストユニット１２３が設けられてあり、米国特許No.6,634,558の「手に装着可能な撮影装置を有する光学コードリーダー (Optical code reader with hand mounted imager)」の中にも、リストユニット３が設けられてある。
【０００６】
あらゆる上記の先行技術は、リストユニットまたは別の分離ユニットを必ず必要とするに加えて、機械式プッシュボタンスイッチを押す時、バーコード・リーダーを押圧力で簡単に移動させないように、ワイヤをリストユニットまたは別の分離ユニットから指輪型のバーコード・リーダーへ接続しなければならない。但し、リストユニットまたは別の分離ユニットは、使用上の利便性がない。故に、実用性を改善するために、ワイヤレス指輪型バーコード・リーダーが、機械式プッシュボタンスイッチを使用させないことはよく知られているが、今まで実現されていない。
【０００７】
また、非機械式プッシュボタンスイッチについて、二種類があり、その一つが赤外線センサーを使用している。待機モードでは、ミリーアンペアの電流が費やされることでバッテリー電源がすぐに無くなってしまうことがある。もう一つが、容量性近接／タッチスイッチを使用することである。待機モードでは、ただミクローアンペアの電流が流れるため、本考案に適用することができる。
【課題を解決するための手段】
【０００８】
そこで、本考案は、当該課題を解決するために開発したものであり、その目的は、主に着用時の快適感を上げることができ、及びスタートスイッチとして容量性近接／タッチスイッチのような非機械的スイッチを用いるワイヤレス指輪型バーコード・リーダーを提供することにある。
【０００９】
上記の目的を達成するために、本考案のワイヤレス指輪型バーコード・リーダーは、アウターケーシングを有し、アウターケーシングの内部に走査エンジンモジュールを備える。この走査エンジンモジュールが、アウターケーシングの外部に設けてある非機械式スタートスイッチ(例えば、容量性近接／タッチスイッチ)と電気的に接続し、使用者がこの非機械式スタートスイッチを通して走査エンジンモジュールを作動して、バーコードの走査作業を行う。アウターケーシングの両側にはそれぞれ下方に延びるウィング部が形成されている。ウィング部が貫通穴を形成し、貫通穴がベルクロラップ固定バンドの両端を通過することで、ベルクロラップ固定バンドが常にアウターケーシングの下方に固定される。また、ベルクロラップ固定バンドの上にパッド本体が粘着されてあり、このパッド本体が柔らかい材質から製作されてなる。
【考案の効果】
【００１０】
使用者は、着用の時に、使用者の指がパッド本体を直接に接触することができ、バーコード・リーダーのアウターケーシングが使用者の指に圧迫することで、不快感を引き起こすことも避けられる。これにより、バーコード・リーダー着用の快適感が有効に向上される。
【図面の簡単な説明】
【００１１】
本考案の目的、技術特徴、及び実施後の効果を一層理解するために、以下の図面を参照してより詳しく説明する。
【図１】図１は、本考案の部材の組み立ての概略図である。
【図２】図２は、本考案の部材の組み立て完了の概略図である。
【図３】図３は、本考案の実施の概略図（一）である。
【図４】図４は、本考案の実施の概略図（二）である。
【図５】図５は、本考案の実施の概略図（三）である。
【図６】図６は、本考案の実施の概略図（四）である。
【考案を実施するための形態】
【００１２】
図１を参照し、本考案のワイヤレス指輪型バーコード・リーダー１０は、アウターケーシング１０１と、走査エンジンモジュール１０２と、ベルクロラップ固定バンド１０３と、パッド本体１０４とからなる。その中で、アウターケーシング１０１は、内部が中空形状になっており、外部の両側に非機械式スタートスイッチ１０１１(例えば、容量性近接／タッチスイッチ)をそれぞれ設けている。両側に非機械式スタートスイッチをそれぞれ設けている理由は、左手を使用する人がいるし、右手を使用する人もいるからである。また、アウターケーシング１０１の対向する両側にはそれぞれ下方に延びるウィング部（１０１２、１０１２’）が形成されてあり、ウィング部（１０１２、１０１２’）がそれぞれ貫通穴（１０１３、１０１３’）を形成してある。また、双方のウィング部（１０１２、１０１２’）の間に、着用部１０１４が形成されてあり、この着用部１０１４が指の弧状に合わせるように形成されている。これにより、アウターケーシング１０１は、使用者の着用時に人間工学に合わせることが可能である。走査エンジンモジュール１０２は、アウターケーシング１０１の内部に装着されてバーコードの走査を行える。また、走査エンジンモジュール１０２は、非機械式スタートスイッチ１０１１と電気的に接続し、使用者がこの非機械式スタートスイッチ１０１１を通して走査エンジンモジュール１０２を作動することにより、バーコードの走査作業を行える。ベルクロラップ固定バンド１０３は主に可撓性のある材料で作られる。また、ベルクロラップ固定バンド１０３の両端部がそれぞれの貫通穴（１０１３、１０１３’）を通過することで、ベルクロラップ固定バンド１０３が常にアウターケーシング１０１の下方に固定される。ベルクロラップ固定バンド１０３のその一面に第１粘着層１０３１が設けてある。もう一方の面に対向の粘着層１０３２が設けてある。この第１粘着層１０３１が対向の粘着層１０３２とお互いに粘着することで固定させられる。パッド本体１０４のその一面に、第２粘着層１０４１が設けてあることで、ベルクロラップ固定バンド１０３の対向粘着層１０３２に粘着することができる。また、使用者の指と接触する時に、長時間使用による不快適感を避けるように、パッド本体１０４のもう一つの面に可撓性の材料からなる接触層１０４２を設けてある。上記部材らの組立済の態様は、図２のように示してあり、図面に示すワイヤレス指輪型バーコード・リーダー１０は、本考案の部材の組立済の概略図である。または、本考案のワイヤレス指輪型バーコード・リーダー１０は、先行技術のように、ワイヤで別の分離ユニットとの接続が必要ない。
【００１３】
図３を参照し、同時に図１にも参照すると、本考案は、予めベルクロラップ固定バンド１０３をアウターケーシング１０１に装設した後に、パッド本体１０４をベルクロラップ固定バンド１０３に粘着し、更にパッド本体１０４が接触層１０４２の面で使用者の指表面に置かれる。また、ベルクロラップ固定バンド１０３の一端部が指を包む方向へ巻き付いた後に、次に別の一端部にある対向の粘着層１０３２を第１粘着層１０３１に粘着する。これにより、ベルクロラップ固定バンド１０３の第１粘着層１０３１と対向の粘着層１０３２がお互いに粘着する。よって、ベルクロラップ固定バンド１０３は、使用者の指を囲んで固定される。ベルクロラップ固定バンド１０３は、使用者の指に囲んで固定される時、バーコード・リーダー着用の快適感が有効に向上されるように、パッド本体１０４が指からの搾りを受けて、アウターケーシング１０１の着用部１０１４の中に没入する。本考案を使用者の指に固定する態様は、図４に示す。図に示すように、ワイヤレス指輪型バーコード・リーダー１０は、ベルクロラップ固定バンド１０３を通して使用者の指に固定した後に、使用者が親指で非機械式スタートスイッチ１０１１を作動して走査エンジンモジュール１０２を駆動することで、バーコードの走査作業を行う。本考案の非機械式スタートスイッチ１０１１は、容量性近接／タッチスイッチを使用できる。従来の機械的なスタートスイッチの場合にバーコード・リーダーが押圧力で歪まれたことを避けるように、この非機械式スタートスイッチ１０１１は、ただアウターケーシングを近接または接触させると起動することができる。使用者が親指で非機械式スタートスイッチ１０１１を作動することによって、走査エンジンモジュール１０２を駆動する態様を図５に示す。前記の述べたように、本考案の非機械式スタートスイッチ１０１１を使用した場合、ベルクロラップ固定バンドをあまりにもきつく縛る必要がないで済み、血行不良による怪我を引き起こすことがないし、快適感も増える。
【００１４】
図６を参照し、本考案のワイヤレス指輪型バーコード・リーダー１０を着用して、ある程度の時間を経った後に、ベルクロラップ固定バンド１０３及びパッド本体１０４は、汚れやバクテリアが蓄積しやすい。以上のことから分かるように、本考案のベルクロラップ固定バンド１０３及びパッド本体１０４は、取り外し可能な構造を持つことで、使用者が自分でこれらの部材の取替えを行える。例えば、パッド本体１０４の取替えについて、使用者がベルクロラップ固定バンド１０３からパッド本体１０４を引き裂き、次に、新しいパッド本体１０４を第２粘着層１０４１の面が第２粘着層１０４１に粘着するように交換する。それで、パッド本体１０４の取替えが出来上がる。一方、ベルクロラップ固定バンド１０３の取替えについては、上記の組立方法と同様に行うことで済み、ここでは繰り返さない。本考案のベルクロラップ固定バンド１０３及びパッド本体１０４は、取り外しが可能であるから、以降全体のメンテナンスは便利であり、パッド本体も使用者に対してより良い快適さを提供することができる。
【産業上の利用可能性】
【００１５】
以上から分かるように、本考案は、主にパッド本体で指輪型レーザーバーコード・リーダーの着用時に使用者の違和感を低減することができ、また容量性近接／タッチスイッチのような非機械式スタートスイッチを使用する。本考案は、上記によって実施すれば、着用時の快適感を上げることができ、且つ非機械式スタートスイッチとして、容量性近接／タッチスイッチを使用するワイヤレス指輪型バーコード・リーダーを提供する目的が確実に実現する。
【００１６】
但し、以上の通りは本考案の好ましい実施態様であり、本考案の実施範囲を限定するではない。当考案の主旨と範囲を逸脱しない範囲内において、この技術分野に精通する者によって行われた変更及び修正は全て当考案の特許範囲内に覆われるべきである。
【符号の説明】
【００１７】
10  ワイヤレス指輪型バーコード・リーダー
101  アウターケーシング
1011  非機械式スタートスイッチ
1012  ウィング部
1012’  ウィング部
1013          貫通穴
1013’  貫通穴
1014  着用部
102  走査エンジンモジュール
103  ベルクロラップ固定バンド
1031  第１粘着層
1032  対向の粘着層
104  パッド本体
1041  第２粘着層
1042  接触層
【図１】
0003211589.tif 000003
【図２】
0003211589.tif 000004
【図３】
0003211589.tif 000005
【図４】
0003211589.tif 000006
【図５】
0003211589.tif 000007
【図６】
0003211589.tif 000008
【手続補正書】
【提出日】平成29年5月17日(2017.5.17)
【手続補正１】
【補正対象書類名】実用新案登録請求の範囲
【補正対象項目名】全文
【補正方法】変更
【補正の内容】
【実用新案登録請求の範囲】
【請求項１】
使用者の指に差し込んで使用されるワイヤレス指輪型バーコード・リーダーであって、
内部が中空形状であり、外部の両側に非機械式スタートスイッチをそれぞれ設け、対向する当該両側にそれぞれ下方に延びるウィング部が形成され、当該ウィング部がそれぞれ貫通穴を形成するアウターケーシングと、
当該アウターケーシングの当該内部に装着され、当該非機械式スタートスイッチと電気的に接続する走査エンジンモジュールと、
可撓性を持つ材料で作られ、一面に第１粘着層が設けられ、もう一の面に対向の粘着層が設けてあり、当該第１粘着層が当該対向の粘着層とお互いに粘着することで固定され、両端部がそれぞれの当該貫通穴を通過する面ファスナー固定バンドと、
一面に第２粘着層が設けられることで、当該対向の粘着層に粘着するパッド本体と、を含み、
当該面ファスナー固定バンドを当該使用者の当該指に固定した後に、当該パッド本体が当該面ファスナー固定バンドと当該指の間に位置し、当該使用者は親指で当該非機械式スタートスイッチを作動して当該走査エンジンモジュールを駆動することで、バーコードの走査作業を行うことを特徴とするワイヤレス指輪型バーコード・リーダー。
【請求項２】
当該非機械式スタートスイッチは、容量性近接スイッチであることを特徴とする請求項１に記載のワイヤレス指輪型バーコード・リーダー。
【請求項３】
当該非機械式スタートスイッチは、容量性タッチスイッチであることを特徴とする請求項１に記載のワイヤレス指輪型バーコード・リーダー。
【請求項４】
当該両方のウィング部の間に、着用部が形成されてあり、当該着用部が当該指の弧状に合わせるように形成されることを特徴とする請求項１に記載のワイヤレス指輪型バーコード・リーダー。
【請求項５】
当該パッド本体のもう一つの面に可撓性の材料からなる接触層を設けてあることを特徴とする請求項１に記載のワイヤレス指輪型バーコード・リーダー。
【請求項６】
当該ワイヤレス指輪型バーコード・リーダーは、ワイヤで別の分離ユニットとの接続が無いことを特徴とする請求項１に記載のワイヤレス指輪型バーコード・リーダー。